(57)【要約】【課題】ノンリニア編集システムからディジタルＶＴＲへデータを書き戻す際にフレームＪｕｓｔ精度の編集精度が保証できない。【解決手段】外部からディジタルデータを入力するインターフェース手段と、前記データを記録蓄積する手段との間に、前記データを所定の遅延量を遅延させる手段と、前記インターフェース手段を介して外部から制御する方法により、記録開始を示すコマンドを受領した後に入力中の前記データの歩進状況を判断し、ＶＴＲが記録動作を始めるまでの時間遅延を判断して前記遅延量を調節する手段を備えた。【選択図】  図１
2005012331.tif 000002
【特許請求の範囲】
【請求項１】
映像や音声のディジタルデータの記録装置であって、
外部から前記ディジタルデータを入力するインターフェース手段と、
前記ディジタルデータを記録蓄積する手段と、
前記インターフェース手段と前記ディジタルデータを記録蓄積する手段との間に配置され、前記ディジタルデータを一時的に記憶し指定のタイミング後に前記記憶されたディジタルデータを読み出すことによって前記ディジタルデータを所定の遅延量を遅延させる手段と、
前記インターフェース手段を介して外部から前記記録装置を制御する方法により記録開始を示すコマンドを受領した後に、入力中の前記ディジタルデータの歩進状況を判断する手段と、
前記ディジタルデータを記録蓄積する手段が記録動作を始めるまでの時間遅延を判断して前記遅延量を調節する手段とを
備えたことを特徴とする映像音声記録装置。
【請求項２】
前記ディジタルデータの歩進状況を判断する手段は、前記ディジタルデータのビデオデータの１フレーム分に相当する処理単位毎に、特定の位置のディジタルデータと後続のフレームにおける同じ位置の前記ディジタルデータを比較することによって前記ディジタルデータの歩進状況を判断することを特徴とする請求項１記載の映像音声記録装置。
【請求項３】
前記ディジタルデータの歩進状況を判断する手段は、ＤＶ規格で定められたディジタルデータの場合、前記ディジタルデータの補助データであるタイムコード情報をフレーム毎に比較して前記ディジタルデータの歩進状況を判断することを特徴とする請求項２記載の映像音声記録装置。
【請求項４】
前記ディジタルデータの歩進状況を判断する手段は、前記ディジタルデータの所定の位置に記録するタイミングを示す記録制御データをフレーム毎に判断することによって前記ディジタルデータの歩進状況を判断することを特徴とする請求項１記載の映像音声記録装置。
【発明の詳細な説明】
【０００１】
【発明の属する技術分野】
本発明は、一般にコンピュータベースのノンリニア編集システムで編集した映像音声データをＩＥＥＥ１３９４規格に準拠したシリアルバスインターフェースを介してディジタルＶＴＲ（以降ＶＴＲと記す）などに記録する用途における映像音声記録装置に関する。
【０００２】
【従来の技術】
コンピュータ技術の進歩により、映像や音声の編集をコンピューター上で行うことが広く普及している。そして、編集後のデータを、蓄積、配布するメディアとして安価であり信頼性のある磁気テープメディアに書き戻す記録機器が必要となるのであるが、デジタル伝送技術の進歩により、映像信号や音声信号（以下ＡＶデータと記す）と共にコントロール情報を共通のデジタル伝送路（以下バスと称する）を介して転送する機器が開発されている。
【０００３】
ＡＶデータは記録、再生処理に同期して送受信される必要があるため、リアルタイム通信が可能なバスが必要となる。リアルタイム性とは映像や音声を途切れることなく転送することができることを示し、例えば、ディジタルＶＴＲ等の記録再生機器においては、記録媒体から連続的にＡＶデータを再生し、また記録媒体に連続的にＡＶデータを記録するため、リアルタイム性が要求される。
【０００４】
このようなＡＶデータを転送するためのバスとして、例えばＩＥＥＥ１３９４シリアルバス（以下１３９４バスと称する）が規格化（以下１３９４規格と記す）されており、前記１３９４バスにおいてＡＶデータを転送するための規定を１３９４規格の上位プロトコルとしてＩＥＣ６１８８３が規格化（以下ＡＶプロトコルと記す）されている。さらに、コントロール情報の通信手順を規定するために、ＡＶ／Ｃ  Ｄｉｇｉｔａｌ  Ｉｎｔｅｒｆａｃｅ  Ｃｏｍｍａｎｄ  Ｓｅｔ（以下、ＡＶ／Ｃコマンドと記す）が規格化されている。
【０００５】
図５は、パソコンなどのコンピュータベースによるノンリニア編集システム（以降ＮＬＥと略す）とＶＴＲを１３９４バスを介しての接続を示すとともに、ＮＬＥからＡＶデータをＶＴＲに書き戻す際の制御手順を示したものである。
【０００６】
図５において、５００は、ＮＬＥであり、書き戻し動作をアッセンブル編集にて行う場合の一般的な制御コマンド例を示している。５０１は、ＮＬＥにて編集したテープに書き戻すためのＡＶデータを示しており、その有効区間をＮ〜Ｎ＋Ｍとする。５０２は、１３９４バスである。５０３は、１３９４規格においてリアルタイム性が要求されるＡＶデータを送信するパケットとして用いられる同期パケット（Ｉｓｏｃｈｒｏｎｏｕｓ  ｐａｃｋｅｔ）を送信している様子をフレーム単位で示したものである。５０４はＶＴＲを示しており、１３９４バスを介してＮＬＥ（５００）と接続している。
【０００７】
以上の接続において、編集データ５０１のＮ〜Ｎ＋Ｍフレームまでの有効ＡＶデータを、ＶＴＲを制御しながら、ＶＴＲに挿入されたテープ中のＢ〜Ｂ＋Ｍフレームの位置に書き戻す際の一般的な手順を順に説明する。
【０００８】
（１）イン点のサーチ
テープ走行を制御するコマンドを用いて、所望のイン点Ｂの位置にテープ位置を制御する。
【０００９】
（２）ＰＬＡＹ  ＰＡＵＳＥコマンド
イン点Ｂの位置にて、一旦テープ走行を停止し、一般にＳＴＩＬＬと呼ばれる再生待機状態にする。
【００１０】
（３）ＲＥＣ  ＰＡＵＳＥコマンド
本コマンドは、次にＲＥＣコマンドが来る場合に有効な制御コマンドであり、確実にイン点Ｂの位置から新しいＡＶデータを記録する場合（アッセンブル編集）に用いられる。ＲＥＣ  ＰＡＵＳＥコマンドを受信したＶＴＲは、当該ＶＴＲ固有の助走期間分（Ｂ−Ａ）だけテープを巻き戻した（ＡＵＴＯ  ＢＡＣＫ）後に待機（ＲＥＣ  ＰＡＵＳＥ）する。またＮＬＥは、記録すべき有効ＡＶデータ５１０を前記同期パケットを用いて送信開始する前に、ＶＴＲ側とフレームタイミングを同期させるために、同期調整用ＡＶデータ（記録されない予定であるＡＶデータ）を送信しなければならない。ＶＴＲは、この同期調整用のＡＶデータのパケットヘッダから、同期情報を取り出しＰＬＬ回路によりＮＬＥの送信フレーム周期に同期したクロックを生成して動作する。
【００１１】
（４）ＲＥＣコマンド
ＮＬＥは、機器の状態を問い合わせるＴＲＡＮＣＥＰＯＲＴ  ＳＴＡＴＥコマンドによりＶＴＲがＲＥＣ  ＰＡＵＳＥ状態になったことを確認したのち、ＲＥＣコマンドを発行する。ＶＴＲはこのＲＥＣコマンドを受領すると、前記助走期間分テープを走行させた後、イン点Ｂより記録を開始する。ＮＬＥは、このＶＴＲが記録するタイミングにあわせて同期調整区間のデータから有効ＡＶデータに切り替えて送信しなければならない。ところが、前記助走期間の長さはＶＴＲ毎に異なるため一般的なＮＬＥでは、ＲＥＣコマンド発行タイミングから有効ＡＶデータに切り替わるまでの区間５３０の長さを変更可能とするためのパラメータを定義しており、ユーザーは前記パラメータを試行錯誤の上調整して用いる。
【００１２】
（５）ＳＴＯＰコマンド
ＮＬＥは、編集データ５０１の有効データを送信し終えるタイミングを見計って、事前にＳＴＯＰコマンドなどの記録停止を行うためのコマンドを送信する。アッセンブル編集では、記録のＯｕｔ点の精度を問題としないのであるが、使い方によってはＯｕｔ点の精度も重要となる。一般的なＶＴＲでは、ＳＴＯＰコマンドを受信したのち、実際に記録を停止するには、固定の遅延を必要とするため、ＮＬＥによっては、Ｏｕｔ点においてもＳＴＯＰコマンドの発行と有効ＡＶデータを送信し終えるまでの区間５４０を調整することが可能な場合がある。
【００１３】
【非特許文献１】
ＩＥＣ６１８８３−１  「Ｃｏｎｓｕｍｅｒ  Ａｕｄｉｏ／Ｖｉｄｅｏ  Ｅｑｕｉｐｍｅｎｔ  −  Ｄｉｇｉｔａｌ  Ｉｎｔｅｒｆａｃｅ  Ｐａｒｔ１：Ｇｅｎｅｒａｌ」
【非特許文献２】
ＩＥＣ６１８８３−２  「Ｃｏｎｓｕｍｅｒ  Ａｕｄｉｏ／Ｖｉｄｅｏ  Ｅｑｕｉｐｍｅｎｔ  −  Ｄｉｇｉｔａｌ  Ｉｎｔｅｒｆａｃｅ  Ｐａｒｔ２：ＳＤ−ＤＶＣＲ  ｄａｔａ  ｔｒａｎｓｍｉｓｓｉｏｎ」
【非特許文献３】
１３９４  Ｔｒａｄｅ  Ａｓｓｏｃｉａｔｉｏｎ  「ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ  Ｖｅｒｓｉｏｎ  ４．１」
【非特許文献４】
１３９４  Ｔｒａｄｅ  Ａｓｓｏｃｉａｔｉｏｎ  「ＡＶ／Ｃ  Ｔａｐｅ  Ｒｅｃｏｒｄｅｒ／Ｐｌａｙｅｒ  Ｓｕｂｕｎｉｔ  Ｓｐｅｃｉｆｉｃａｔｉｏｎ  ２．２」
【００１４】
【発明が解決しようとする課題】
しかしながら、これらの方法では、ＮＬＥによっては当該ＶＴＲの助走期間にマッチする前記パラメータを設定することができなかったり、ＮＬＥがパソコンなどによって構成されているため、パソコンの性能や他のプログラムの負荷状況などに起因して、前記５３０で示した区間のタイミングを保てない場合があり、書き戻しの精度がＪｕｓｔである場合を５２０とすると、５２１や５２２のように前後にずれる場合が発生し、フレーム精度の編集を保証することができないという問題点を有していた。
【００１５】
本発明は、このような状況を鑑みて、ノンリニア編集システムから映像音声信号の記録機器への書き出し動作に対して、Ｊｕｓｔ精度の編集が可能なディジタルＶＴＲを提供することを目的とする。
【００１６】
【課題を解決するための手段】
この課題を解決するために本発明は、映像や音声のディジタルデータの記録装置であって、外部から前記ディジタルデータを入力するインターフェース手段と、前記ディジタルデータを記録蓄積する手段と、前記インターフェース手段と前記ディジタルデータを記録蓄積する手段との間に配置され、前記ディジタルデータを一時的に記憶し指定のタイミング後に前記記憶されたディジタルデータを読み出すことによって前記ディジタルデータを所定の遅延量を遅延させる手段と、前記インターフェース手段を介して外部から前記記録装置を制御する方法により記録開始を示すコマンドを受領した後に、入力中の前記ディジタルデータの歩進状況を判断する手段と、前記ディジタルデータを記録蓄積する手段が記録動作を始めるまでの時間遅延を判断して前記遅延量を調節する手段によって構成したものである。
【００１７】
この構成によって、ＲＥＣやＳＴＯＰコマンドなどの記録するタイミングを制御するコマンドの送受信のタイミングのずれに影響されず、伝送ストリームの歩進状況から記録開始位置や終了位置を判断することが可能となり、フレームＪｕｓｔ精度の編集制御が実現できる。
【００１８】
【発明の実施の形態】
本発明の請求項１に記載の発明は、映像や音声のディジタルデータの記録装置であって、外部から前記ディジタルデータを入力するインターフェース手段と、前記ディジタルデータを記録蓄積する手段と、前記インターフェース手段と前記ディジタルデータを記録蓄積する手段との間に配置され、前記ディジタルデータを一時的に記憶し指定のタイミング後に前記記憶されたディジタルデータを読み出すことによって前記ディジタルデータを所定の遅延量を遅延させる手段と、前記インターフェース手段を介して外部から前記記録装置を制御する方法により記録開始を示すコマンドを受領した後に、入力中の前記ディジタルデータの歩進状況を判断する手段と、前記ディジタルデータを記録蓄積する手段が記録動作を始めるまでの時間遅延を判断して前記遅延量を調節する手段とを備えたことを特徴とする映像音声記録装置であり、ＲＥＣやＳＴＯＰコマンドなどの記録するタイミングを制御するコマンドのタイミングではなく、受信中のＡＶデータから所望の編集タイミングを抽出して記録するという作用を有する。
【００１９】
請求項２に記載の発明は、前記ディジタルデータの歩進状況を判断する手段は、前記ディジタルデータのビデオデータの１フレーム分に相当する処理単位毎に、特定の位置のディジタルデータと後続のフレームにおける同じ位置の前記ディジタルデータを比較することによって前記ディジタルデータの歩進状況を判断することを特徴とする請求項１記載の映像音声記録装置であり、従来例にて記載の同期調整用ＡＶデータと有効ＡＶデータの境界を簡単な方式にて判断するという作用を有する。
【００２０】
請求項３に記載の発明は、ＤＶ規格で定められたディジタルデータの場合、前記ディジタルデータの補助データであるタイムコード情報をフレーム毎に比較して前記ディジタルデータの歩進状況を判断することを特徴とする請求項２記載の映像音声記録装置であり、タイムコードの歩進状況から、有効ＡＶデータを抽出するという作用を有する。
【００２１】
請求項４に記載の発明は、前記ディジタルデータの歩進状況を判断する手段は、前記ディジタルデータの所定の位置に記録するタイミングを示す記録制御データをフレーム毎に判断することによって前記ディジタルデータの歩進状況を判断することを特徴とする請求項１記載の映像音声記録装置であり、ＡＶデータと共に伝送された記録制御データに基づいて記録制御を行うという作用を有する。
【００２２】
以下、本発明の実施の形態について、図１から図４を用いて説明する。
【００２３】
（実施の形態１）
図１は、本発明の実施の形態１の構成例として、映像や音声のディジタルデータを入力するインターフェース手段として１３９４インターフェースを有するＤＶ規格のディジタルＶＴＲの構成を示したものである。図１において１００はＮＬＥであり、１３９４バス１１０を介してＶＴＲ１２０と接続している。
【００２４】
まず、従来例にて詳述した書き戻し動作を実施する場合のＡＶデータの処理経路を説明する。ＮＬＥ１００にて作成されたＡＶデータは、従来例に記載の手順に従い１３９４バス１１０に出力される。１２１は、１３９４インターフェース部であり、ＰＨＹ／ＬＩＮＫレイヤーを通じてパケット形式となり、内部のデータバス形式に変換されたＡＶデータ１２５になる。ＡＶデータ１２５は、メモリ１３１とメモリコントローラー１３２によって構成されたＡＶデータの遅延手段１３０により、後述の遅延量の設定に基づき遅延させた後、ＡＶデータ１４０に出力される。ＡＶデータ１４０は、エラー訂正符号の付加やテープ変調処理を施す記録蓄積処理１５０によって磁気テープメディア１５１に記録される。ＤＶ規格の場合、ＡＶデータはＤＶ圧縮された形式であるため、圧縮伸張処理２１０によってデコード処理を施しモニターへ出力される。
【００２５】
次に、本実施例における制御コマンドに関する処理経路を説明する。ＡＶ／Ｃコマンド規格によるコマンドは、ＩＥＣ６１８８３−１に規定されるＦＣＰの手順に準じており、１３９４バス上を非同期パケット（Ａｓｙｎｃｒｏｎｏｓ  ｐａｃｋｅｔ）の形式で伝送される。コマンドの伝送手順は本発明に直接関係しないため詳細は省略するが、コマンド処理１６０にて受信を確認した後、制御部１７０に通知する。
【００２６】
図２は、書き戻し動作の場合の遅延制御方法を、従来例記載のＲＥＣ  ＰＡＵＳＥコマンドからの処理について示したものである。本実施例におけるＮＬＥ動作２００及びＶＴＲ動作２２０は従来例にて説明した動作と同様であるため、図１における制御部１７０の処理内容について詳しく説明する。Ｓ１において、ＮＬＥからのＲＥＣコマンドを受信した後、メモリコントローラ１３２を介して一時的に記憶されたＡＶデータを部分的に読み出すことによって確認し、その歩進状況、すなわち同期調整用のＡＶデータと有効なＡＶデータとの境界をＳ２にて確認する。歩進状況の確認手段については以降の実施例にて詳述する。歩進状況を確認した後、記録蓄積処理１５０より、現在のテープ走行状態を確認することによって記録開始タイミングを得る（Ｓ３）。この記録開始タイミングに一致するようにＡＶデータの遅延手段１３０の遅延量をＳ４にて設定することによって記録蓄積処理１５０における記録開始タイミングと有効ＡＶデータの先頭フレーム位置を一致させることができる。
【００２７】
図３は記録処理を停止する場合の制御タイミングについて示したものである。３００は、ＮＬＥから出力されたＡＶデータ１２５を時系列にフレーム単位で示したものであり、３１０は、遅延後に出力されたＡＶデータ１４０を同じくフレーム単位で示したものである。本実施形態によれば、ＮＬＥがＶＴＲの記録停止にかかるコマンド遅延として事前にＳＴＯＰコマンドを送信している場合の遅延量３２０とすると、ＡＶデータの遅延手段１３０により遅延した遅延量３３０と、制御部１７０から記録蓄積処理１５０に記録停止を通知して記録処理を停止するまでにかかる遅延３４０を考慮して、記録停止指令までの遅延３５０を算出し記録蓄積処理１５０に記録停止指令を通知する。
【００２８】
以上のように本実施の形態によれば、１３９４インターフェース１２１から出力されるＡＶデータ１２５をその歩進状況を判断して遅延させる手段を設けることによって、ＮＬＥが出力したＡＶデータから有効区間を判断して記録するため、記録開始及び終了を指示するコマンド送信タイミングのずれに影響されず正確なタイミングでの記録制御が実現できる。さらにこの特徴によって、ＶＴＲ毎に異なる記録開始時の助走期間５３０や記録停止時のコマンド遅延５４０を、ユーザーが試行錯誤してＮＬＥのパラメータ設定を実施する負担が大きく軽減される。
【００２９】
なお、本実施の形態に置いてはＤＶ規格のＶＴＲとしたが、例えばＤＶＣＰＲＯ規格など、その圧縮方式やＶＴＲ記録方式を限定するものではない。
【００３０】
（実施の形態２）
図４は、実施の形態１におけるＡＶデータの遅延手段１３０のメモリマップを例として判りやすく示したものである。ここでは、５２５／６０モード（ＮＴＳＣ方式）のＤＶデータのフレーム構造を示しており、ビデオデータの１フレーム分に相当するＤＶ圧縮されたＡＶデータは、１０個のＤＩＦ  Ｓｅｑｕｅｎｃｅより構成される。各ＤＩＦ  ブロックは８０バイトのデータより構成され、各ＤＩＦ  Ｓｅｑｕｅｎｃｅは１５０個のＤＩＦ  ブロックより構成される。本実施の形態における前記歩進状況の確認方法として、ヘッダーブロックのＴＦを確認する例について説明する。図６はＤＶ規格のヘッダーブロックの定義を示したものである。ＴＦ２は一般にビデオデータの有効性を示しており、このＴＦ２をフレーム毎にメモリコントローラ１３２を介して読み出すことによって、ＮＬＥが出力したＡＶデータの有効部分を判断することができる。即ちＮフレームまでのヘッダーブロック４１０におけるＴＦ２＝１であり、Ｎ＋１フレーム目のヘッダーブロック４２０においてＴＦ２＝０となれば、Ｎ＋１フレーム目から有効ＡＶデータであるという具合に簡単な方法で歩進状況が判断できる。
【００３１】
（実施の形態３）
次にタイムコード情報をフレーム毎に比較して歩進状況を判断する方法について説明する。図７は、５２５／６０モードのＴｉｍｅ  Ｃｏｄｅ  Ｐａｃｋの定義を示したものである。Ｔｉｍｅ  Ｃｏｄｅ  Ｐａｃｋは図４におけるＳｕｂｃｏｄｅブロック（４３０など）に格納されている。７１０は、タイムコードのフレーム桁の１０の位を示し、７２０は、同フレーム桁の１の位を示している。
【００３２】
このフレーム桁の動きをフレーム毎に実施の形態２同様に確認することによってＮＬＥが出力したＡＶデータの有効部分を判断することができる。また、ＮＬＥが有効ＡＶデータの先頭位置及び終了位置をＡＶ／Ｃコマンドによって予め通知すれば、歩進状況の確認よりも簡単に記録開始及び終了タイミングを、タイムコードを確認する方法にて知ることが可能である。
【００３３】
なお、以上の説明では、ヘッダーブロックのＴＦやタイムコードを確認する例で説明したが、その他のブロックのデータで確認することも考えられ、また、これら複数のデータを組み合わせて確認することも実施可能である。
【００３４】
（実施の形態４）
次に、歩進状況をさらに容易に判断するために、例としてヘッダブロックの未定義位置に記録制御のための情報を追加した実施の形態について説明する。
【００３５】
図８は、図６同様のヘッダブロックに記録制御のために１バイトの情報を追加する際の定義例を示したものである。
【００３６】
８１０は、ＡＶデータの有効部分を示すフラグであり、定義例を８３０に示す。８２０は、無効ＡＶデータの送信区間（ＲＥＣ＝０）においては、有効ＡＶデータを送信するまでの時間経過をフレーム単位でデクリメントするＴｉｍｅｒであり、有効ＡＶデータの送信区間（ＲＥＣ＝１）においては、有効データの送信終了（記録のエンド点）までの時間経過をフレーム単位でデクリメントするものとする。確認の手順は実施の形態２と同様であるが、Ｔｉｍｅｒ８２０を確認することによって、事前に記録制御のタイミングを得ることが可能となり、機器への実装が容易となる。
【００３７】
なお、以上の説明では例としてヘッダーブロックに記録制御情報を定義し、その具体的定義方法について示したわけたが、この定義に限定するものではないことはいうまでもない。
【００３８】
（実施の形態５）
次に、記録制御のための情報を追加する方法として、ビデオデータに記録開始点と終了点を示すデータを挿入する実施の形態について図９を用いて説明する。
【００３９】
ＮＬＥにて編集したデータ９００は、実際に書き戻すための有効ＡＶデータである記録クリップ９３０と、次のフレームが記録スタートフレームを示す記録制御情報を埋め込んだフレーム９４０を含むスタートマーククリップ９１０と、前のフレームが記録終了フレームであること示す記録制御情報を埋め込んだフレーム９５０を含んだエンドマーククリップ９２０よりなる。記録制御情報の埋め込み方法を説明する。例えば、フレーム先頭のビデオデータを格納したＤＩＦブロック４４０に格納するものとする。図１０は、ＤＶ規格におけるビデオデータのＤＩＦブロックの定義である。１０１０は、ＣＢのマクロブロックにおけるＡＣ成分の格納エリアであり、本実施の形態では、ランダムな固有データで構成したＩＤ領域１０３０（７バイト）と、スタートフレーム９４０であるかエンドフレーム９５０であるかの違いを示すＳ／Ｅ１０４０（１バイト）を定義する。実施の形態２と同様の確認手順により、マクロブロックの終わりを示すＥＯＢとＩＤ領域をフレーム毎にチェックすることによって、スタートフレーム９４０及びエンドフレーム９５０を判別することが可能となり、有効ＡＶデータである記録クリップ９３０だけをジャスト精度で記録できる。本実施の形態によれば、ＮＬＥの種類や機能に関わらず、本発明の効果を得ることが可能となる。
【００４０】
なお、以上の説明では例として具体的に特定のビデオデータのＤＩＦブロック位置や、記録制御情報の埋め込み位置や定義方法について示したわけたが、例えば、ＩＤ領域１０３０を多くのバイト数にするなど、その位置や方法を限定するものではない。
【００４１】
【発明の効果】
以上のように本発明は、ノンリニア編集システムからＶＴＲに編集データを書き戻す処理において、ＲＥＣコマンドやＳＴＯＰコマンドなどの記録するタイミングを制御するコマンドの送受信のタイミングのずれに影響されず、フレーム単位の高い編集精度で記録するディジタルＶＴＲを提供できるという優れた効果が得られる。
【図面の簡単な説明】
【図１】本発明の実施の形態１におけるディジタルＶＴＲの構成図
【図２】本発明の実施の形態１における書き戻し動作の制御方法を示す図
【図３】本発明の実施の形態１における記録処理を停止する場合の制御タイミングを示した図
【図４】本発明の実施の形態１におけるＡＶデータの遅延手段におけるメモリマップを示した図
【図５】従来のＮＬＥとＶＴＲの接続および制御手順を示した図
【図６】ＤＶ規格のヘッダブロックの定義を示した図
【図７】ＤＶ規格のＴｉｍｅ  Ｃｏｄｅ  Ｐａｃｋの定義を示した図
【図８】ヘッダブロックに記録制御のための情報を追加する際の定義例を示した図
【図９】ＮＬＥにて記録制御情報を埋め込んで作成した編集データを示した図
【図１０】ＤＶ規格のビデオデータのＤＩＦブロックのマクロブロックの格納方法を示した図
【符号の説明】
１００  ＮＬＥ
１１０  １３９４バス
１２０  ディジタルＶＴＲ
１２１  １３９４インターフェース部
１３０  ＡＶデータの遅延手段
１５０  記録蓄積処理部
１７０  遅延制御部
２１０  圧縮伸張処理部
【図１】
2005012331.tif 000003
【図２】
2005012331.tif 000004
【図３】
2005012331.tif 000005
【図４】
2005012331.tif 000006
【図５】
2005012331.tif 000007
【図６】
2005012331.tif 000008
【図７】
2005012331.tif 000009
【図８】
2005012331.tif 000010
【図９】
2005012331.tif 000011
【図１０】
2005012331.tif 000012